(57)【特許請求の範囲】
【請求項１】
板状の弾性部材を複数積層してなる防振・衝撃吸収パッドにおいて、
前記弾性部材の他層との接触面には、積層時に互いに遊嵌し合う突起および嵌合孔からなる複数の遊嵌対が形成され、且つ該遊嵌対は、前記突起と前記嵌合孔の底部或いは側壁との間に形成される間隙の広さの異なるものが複数種類存在すると共に、外部からの荷重の印加時に生じる前記弾性部材間の相対的な変位が大きいほど、前記嵌合孔の壁面と前記突起との接触面積が増大する形状に形成されていることを特徴とする防振・衝撃吸収パッド。
【請求項２】
請求項１記載の防振・衝撃吸収パッドにおいて、
前記遊嵌対は、前記嵌合孔内の壁面と前記突起との間に形成される隙間のうち、前記荷重の印加方向にて両者が対向する部分の間隔が、前記遊嵌対毎にそれぞれ異なる広さ有するよう形成されていることを特徴とする防振・衝撃吸収パッド。
【請求項３】
請求項１又は請求項２記載の防振・衝撃吸収パッドにおいて、
前記遊嵌対は、前記嵌合孔内の壁面と前記突起との間に形成される隙間のうち、前記荷重の印加方向にて両者が対向する部分の間隔が、前記突起の根元部分から先端部分にかけて徐々に狭くなる形状に形成されていることを特徴とする防振・衝撃吸収パッド。
【請求項４】
請求項１ないし請求項３いずれか記載の防振・衝撃吸収パッドにおいて、
前記弾性部材は、隣接する他層とは互いに異なった弾性力を有することを特徴とする防振・衝撃吸収パッド。
【発明の詳細な説明】
【０００１】
【発明の属する技術分野】
本発明は、二つの物体間に挟装され、一方の物体で発生した振動や衝撃が、他方の物体に伝達されることを防止する防振・衝撃吸収パッドに関する。
【０００２】
【従来の技術】
従来より、射出成形機等、振動や衝撃（以下まとめて単に「振動等」という）を発生する機器を設置する場合や、精密な重量測定を行う電子秤等、振動の影響を受けやすい機器を設置する場合に、機器にて発生した振動等が周囲に伝達されたり、逆に、周囲で発生した振動等が機器に伝達されることを防止するため、機器と該機器の載置面（床や机など）との間に、弾性材料を板状に形成してなる防振パッドを挟装することが行われている。
【０００３】
ところで、この種の防振パッドには、上述の機器や載置面との接触面に沿った横方向の振動等（以下「横振動」という）を主に吸収する振動吸収パッドと、この接触面と交差する方向に沿った縦方向の振動等（以下「縦振動」という）を主に吸収する衝撃吸収パッドとがある。
【０００４】
このうち、横振動を吸収する振動吸収パッドＰ１は、例えば、図７（ａ）に示すように、表面（物体との接触面）に複数の突起Ｐ１２を有する平板状に形成された弾性体からなる。
そして、この振動吸収パッドＰ１を挟装する機器Ｐ８或いは載置面Ｐ９のいずれかにて横振動が発生し、振動吸収パッドＰ１に横方向の荷重が加えられた場合、この荷重に従って接触面に形成された突起Ｐ１２が揺動する。この時、突起Ｐ１２の復元力（元の形状に戻ろうとする弾性力）が、この揺動を減衰させることにより、加えられた荷重、即ち横振動が吸収されることになる。
【０００５】
一方、縦振動を吸収する衝撃吸収パッドＰ２は、例えば、図７（ｂ）に示すように、互いの弾性力が異なり且つ積層して使用され、しかも積層面に互いに噛み合った形状を有する凹凸（図では三角形のエッジ状）が形成された一対の弾性部材Ｐ２０，Ｐ２２からなる。
【０００６】
この衝撃吸収パッドＰ２を挟装する機器或いは載置面のいずれかにて縦振動が発生し、衝撃吸収パッドＰ２に縦方向の荷重が加えられた場合、この荷重は、弾性部材Ｐ２０，Ｐ２２の積層方向に向け伝達される。この時、凹凸に形成された積層面にて、荷重の伝達方向が分散されることにより、相手側の機器或いは載置面に達する荷重が弱められ、即ち縦振動が吸収されることになる。
【０００７】
【発明が解決しようとする課題】
しかし、これら従来の振動吸収パッドＰ１及び衝撃吸収パッドＰ２は、それぞれ上述の特定方向の振動であれば十分に吸収できたが、この特定方向以外の振動、つまり、振動吸収パッドＰ１では縦振動，衝撃吸収パッドＰ２では横振動を有効に吸収することができなかった。このため、横振動，縦振動の両方への対処が要求される場合、これら従来の振動吸収パッドＰ１や衝撃吸収パッドＰ２を用いたのでは、十分に対処することができないという問題があった。
【０００８】
特に、振動吸収パッドＰ１では、機器Ｐ８や載置面Ｐ９に対して突起Ｐ１２を介して接触しており、接触面積が少ないため、機器Ｐ８や載置面Ｐ９に対してスリップしてしまうという問題もあった。なお、低硬度の弾性材料を用いて構成することにより、機器Ｐ８や載置面Ｐ９との接触面積を大きくしてスリップを防止することが考えられるが、この場合、機器Ｐ８を設置しただけで突起Ｐ１２が大きく変形し、当該パッドＰ１の高さ方向の寸法が不安定になってしまうため、機器Ｐ８を安定して設置することができないという新たな問題が生じてしまう。
【０００９】
そこで、本発明では、横振動及び縦振動のいずれに対しても十分な振動吸収性能を有し、しかも機器を安定して設置可能な防振・衝撃吸収パッドを提供することを目的とする。
【００１０】
【課題を解決するための手段】
上記目的を達成するためになされた本発明は、板状の弾性部材を複数積層してなる防振・衝撃吸収パッドにおいて、前記弾性部材の他層との接触面には、積層時に互いに遊嵌し合う突起および嵌合孔からなる複数の遊嵌対が形成され、且つ該遊嵌対は、前記突起と前記嵌合孔の底部或いは側壁との間に形成される間隙の広さの異なるものが複数種類存在すると共に、外部からの荷重の印加時に生じる前記弾性部材間の相対的な変位が大きいほど、前記嵌合孔の壁面と前記突起との接触面積が増大する形状に形成されていることを特徴とする。
【００１１】
このように構成された本発明の防振・衝撃吸収パッドでは、一方の弾性部材側で振動や衝撃が発生し、これら振動等により防振・衝撃吸収パッドに荷重が加わって弾性部材間に変位が生じると、その変位が大きくなるに従って、嵌合孔の壁面と突起との接触面積（以下「遊嵌対での接触面積」という）が増大する。そして、接触面積が増大するに従い、変位した状態から元の状態に戻ろうとする復元力（弾性部材の変位を阻止しようとする反発力）が増大することになる。
【００１２】
つまり、本発明の防振・衝撃吸収パッドによれば、加えられる荷重の大きさに応じた復元力／反発力が得られるため、荷重を発生させた振動等を効果的に吸収することができる。
また、本発明の防振・衝撃吸収パッドでは、機器や機器の載置面に接触する接触面に、従来の振動吸収パッドＰ１のような突起を設ける必要がなく、機器や載置面との接触面積を広く確保できるため、弾性部材の硬度を必要以上に低くしなくても十分な表面摩擦抵抗が得られる。従って、本発明の防振・衝撃吸収パッドによれば、当該パッドの厚さ方向の寸法精度を十分に確保しつつ、これら機器や載置面に対するスリップも確実に防止できる。
【００１３】
ところで、弾性部材の変形が大きいほど、嵌合孔の壁面と突起との接触面積が増大するような遊嵌対の形状とは、具体的には、例えば、次の請求項２，３記載のように構成することで実現できる。
即ち、請求項２記載のように、遊嵌対は、嵌合孔内の壁面と突起との間に形成される隙間のうち、荷重の印加方向にて両者が対向する部分の間隔が、遊嵌対毎にそれぞれ異なる広さ有するよう形成すればよい。
【００１４】
この場合、弾性部材間の相対的な変位が大きくなるに従って、接触し合う遊嵌対の数が増大することにより、遊嵌対での接触面積が増大することになる。
より具体的には、全ての各遊嵌対で嵌合孔の径や深さを一定とし、各遊嵌対毎に突起の径や高さを異ならせたり、逆に、全ての遊嵌対で突起の径や高さを一定とし、各遊嵌対毎に嵌合孔の径や深さを異ならせることにより実現できる。もちろん、各遊嵌対毎に嵌合孔及び突起の双方について、径や深さ／高さを異ならせるように形成してもよい。
【００１５】
また、請求項３記載のように、遊嵌対は、嵌合孔内の壁面と前記突起との間に形成される隙間のうち、荷重の印加方向にて両者が対向する部分の間隔が、突起の根元部分から先端部分にかけて徐々に狭くなる形状に形成してもよい。
この場合、弾性部材間の積層面に沿った横方向への相対的な変位が大きくなるに従って、各遊嵌対のそれぞれにて、嵌合孔の壁面と突起とが接触する部分が増大することにより、全体的に遊嵌対での接触面積が増大することになる。
【００１６】
より具体的には、嵌合孔の壁面又は突起の側面のいずれか一方を傾斜させて形成するか、両者の傾斜角が互いに異なるように形成することにより実現できる。次に、請求項４記載の防振・衝撃吸収パッドでは、請求項１ないし請求項３いずれか記載の防振・衝撃吸収パッドにおいて、弾性部材は、隣接する他層とは互いに異なった弾性力を有することを特徴とする。
【００１７】
この場合、上述した従来の衝撃吸収パッドでの縦振動の吸収作用と、遊嵌対での接触面積が徐々に増大することに基づく縦振動の吸収作用との相互作用により、弾性部材の積層方向に沿った縦振動をより効果的に吸収することができる。
【００１８】
【発明の実施の形態】
以下、本発明の実施形態を図面と共に説明する。
本実施形態の防振・衝撃吸収パッド１は、積層した状態で使用される一対の吸収パッド２，３からなり、便宜上、一方を上部吸収パッド２，他方を下部吸収パッド３とよぶ。
【００１９】
ここで、図２（ａ）は上部吸収パッド２を下部吸収パッド３との積層面側から見た平面図、図２（ｂ）はＡ−Ａ’断面図、図２（ｃ）はＢ−Ｂ’断面図、図２（ｄ）は積層面の一部を拡大して示した説明図である。また、図３（ａ）は、下部吸収パッド３を上部吸収パッド２との積層面側から見た平面図、図３（ｂ）はａ−ａ’断面図、図３（ｃ）はｂ−ｂ’断面図、図３（ｄ）は積層面の一部を拡大して示した説明図である。
【００２０】
まず、上部吸収パッド２は、図２（ａ）〜（ｄ）に示すように、正方形の平面形状を有する板状に形成されており、その一方の面には、円柱状に突設された突起２４が多数形成されていると共に、該面の周囲縁部に堰部２６が形成されている。
【００２１】
突起２４は、具体的には、直径及び高さがそれぞれ異なった４種類のもの（第１突起２４ａ，第２突起２４ｂ，第３突起２４ｃ，第４突起２４ｄとよぶ）があり、直径については、第１突起２４ａが最も大きく、以下、第２突起２４ｂ，第３突起２４ｃ，第４突起２４ｄの順に小さくなり、また、高さについては、第１突起２４ａが最も低く、以下、第２突起２４ｂ，第３突起２４ｃ，第４突起２４ｄの順に高くなるように構成されている。
【００２２】
そして、図中横方向に並んだ突起列に着目した場合、第１突起２４ａ及び第４突起２４ｄが直線状に交互に配置された列（図２（ｂ）参照）と、第２突起２４ｂ及び第３突起２４ｃが直線状に交互に配置された列（図２（ｃ）参照）とが交互に配列され、また、図中縦方向に並んだ突起列に着目した場合、第１突起２４ａ及び第２突起２４ｂが直線状に交互に配置された列と、第３突起２４ｃ及び第４突起２４ｄが直線状に交互に配置された列とが交互に配列されている。つまり、図２（ｄ）に示すように、各突起２４ａ〜２４ｄの中心点が、散点格子上に位置するよう規則正しく配列されている。
【００２３】
一方、下部吸収パッド３は、図３（ａ）〜（ｄ）に示すように、上部吸収パッド２と同じ大きさで且つ同じ平面形状（即ち正方形）を有する板状に形成されており、その一方の面には、開口部の直径が底部の直径よりも大きくなるよう円錐台状に堀穿された嵌合孔３４が多数形成されている。
【００２４】
嵌合孔３４は、具体的には、孔径及び深さがそれぞれ異なった４種類のもの（第１嵌合孔３４ａ，第２嵌合孔３４ｂ，第３嵌合孔３４ｃ，第４嵌合孔３４ｄとよぶ）があり、孔径については、第１嵌合孔３４ａが最も大きく、以下、第２嵌合孔３４ｂ，第３嵌合孔３４ｃ，第４嵌合孔３４ｄの順に小さくなり、また、深さについては、第１嵌合孔３４ａが最も浅く、以下、第２嵌合孔３４ｂ，第３嵌合孔３４ｃ，第４嵌合孔３４ｄの順に深くなるように構成されている。
【００２５】
そして、図中横方向に並んだ嵌合孔列に着目した場合、第１嵌合孔３４ａ及び第４嵌合孔３４ｄが直線状に交互に配置された列（図３（ｂ）参照）と、第２嵌合孔３４ｂ及び第３嵌合孔３４ｃが直線状に交互に配置された列（図３（ｃ）参照）とが交互に配列され、また、図中縦方向に並んだ嵌合孔列に着目した場合、第１嵌合孔３４ａ及び第２嵌合孔３４ｂが直線状に交互に配置された列と、第３嵌合孔３４ｃ及び第４嵌合孔３４ｄが直線状に交互に配置された列とが交互に配列されている。つまり、図３（ｄ）に示すように、各嵌合孔３４ａ〜３４ｄの中心点が、各突起２４ａ〜２４ｄと同じ大きさの散点格子上に位置するよう規則正しく配列されている。
【００２６】
以下では、上部吸収パッド２及び下部吸収パッド３において、それぞれ突起２４，嵌合孔３４の形成面を積層面２２，３２、その反対側の面を外部接触面とよぶ。
また、両吸収パッド２，３は、互いの積層面２２，３２を対向させた時、第１突起２４ａと第１嵌合孔３４ａ，第２突起２４ｂと第２嵌合孔３４ｂ，第３突起２４ｃと第３嵌合孔３４ｃ，第４突起２４ｄと第４嵌合孔３４ｄがそれぞれ対向するように配置され、以下、これら対向する突起と嵌合孔とからなる組を、それぞれ第１〜第４遊嵌対とよぶ。
【００２７】
そして、第４遊嵌対２４ｄ，３４ｄでは、突起の直径と嵌合孔の底部の直径とは等しい大きさに形成されており、以下、嵌合孔の底部の直径から突起の直径を差し引いた大きさが、第３遊嵌対２４ｃ，３４ｃ、第２遊嵌対２４ｂ，３４ｂ、第１遊嵌対２４ａ，３４ａの順に大きくなるように構成されている。
【００２８】
なお、上部吸収パッド２及び下部吸収パッド３は、弾性材料（例えばブチルゴム）にてそれぞれ一体成形されており、しかも、上部吸収パッド２では、硬度がＪＩＳ  Ｋ６３０１のＡ１０である弾性材料が用いられ、また下部吸収パッド３では、硬度がＪＩＳ  Ａ６３０１のＡ３５である弾性材料が用いられている。好ましくは、対象物（機器）を設置した際に、２４ｄ（上部一番細い突起）のひずみが０．１以下になるように材料硬度、支持面積を選択するとよい。
【００２９】
以上のように構成された上部吸収パッド２及び下部吸収パッド３を、互いの積層面２２，３２を対向させ、各遊嵌対が互いに対向するよう位置決めした状態で組み合わせることにより、両吸収パッド２，３を積層し、堰部２６を下部吸収パッド３の周縁部に接着することで本実施形態の防振・衝撃吸収パッド１が作製される。なお、堰部２６は、積層された両吸収パッド２，３の隙間から、ゴミ等が侵入することを防止するためのものである。
【００３０】
このように構成された本実施形態の防振・衝撃吸収パッド１は、例えば、図１に示すように、非常に精密な重量測定を行う電子秤Ｄを載置台上に載置する際に、電子秤Ｄと載置台の載置面との間に挟装する等して使用する。ここでは、電子秤Ｄの４隅にそれぞれ本実施形態の防振・衝撃吸収パッド１を配置している。
【００３１】
ここで、図４は、防振・衝撃吸収パッド１の断面図であり、（ａ）は、図２及び図３におけるＡ−Ａ’断面及びａ−ａ’断面に対応する部分の断面を示したものであり、（ｂ）は、同じくＢ−Ｂ’断面及びｂ−ｂ’断面に対応する部分の断面を示したものである。
【００３２】
図４に示すように、防振・衝撃吸収パッド１に荷重が印加されていない場合、第４突起２４ｄの先端が、第４嵌合孔３４ｄの底部に当接する位置にて、突起２４ａ〜２４ｄは、それぞれ、嵌合孔３４ａ〜３４ｄに遊嵌された状態となる。この時、各遊嵌対にて、突起と嵌合孔の底部或いは側壁との間に形成される間隙は、第４遊嵌対２４ｄ，３４ｄにて最も狭く（底部では当接している）、第３遊嵌対２４ｃ，３４ｃ、第２遊嵌対２４ｂ，３４ｂ、第１遊嵌対２４ａ，３４ａの順に広くなっている。
【００３３】
次に、本実施形態の防振・衝撃吸収パッド１に、外部接触面に沿った横方向の荷重が加わった場合の動作、及び外部接触面と交差する縦方向の荷重が加わった場合の動作を説明する。
但し、図５，図６は実際の断面図ではなく、動作をわかりやすくするために、第２〜第４遊嵌対を並べて示した模式図である。また、特に図５では、上部吸収パッド２の外部接触面に荷重が加わった場合を表している。
【００３４】
まず、図５（ａ）は、防振・衝撃吸収パッド１に横方向の荷重が加えられる前の様子を示すものである。そして、上部吸収パッド２に横方向の荷重が加わり、上部吸収パッド２が下部吸収パッド３に対して横方向に変位すると、図５（ｂ）に示すように、当初から第４嵌合孔３４ｄの底部に当接している第４突起２４ｄが弾性変形を開始し、変位に伴って、第４突起２４ｄが第４嵌合孔３４ｄの側壁に押し付けられるように変形し、両者間の接触面積が増大する。この時、他の第１〜第３遊嵌対でも、嵌合孔内を突起が移動し、これらのうち、第３突起２４ｃが第３嵌合孔３４ｃの側壁に最初に当接する。
【００３５】
この状態から更に上部吸収パッド２が変位すると、図５（ｃ）に示すように、嵌合孔３４ｃの側壁に当接した第３突起２４ｃが弾性変形を開始し、先の第４突起と同様に、上部吸収パッド２の変位に伴った、第３突起２４ｃが第３嵌合孔３４ｃの側壁に押し付けら得るように変形し、両者間の接触面積が増大する。この間、第４突起２４ｄは、第４嵌合孔３４ｄの側壁に押し付けられ、自身が弾性変形すると共に、嵌合孔３４ｄの側壁も孔を押し広げる方向に変形させるよう作用する。
【００３６】
以下、更に上部吸収パッド２が変位すると、その変位に伴って、次は第２突起２４ｂが第２嵌合孔３４ｂの側壁に当接し、引き続き第１突起２４ａが第１嵌合孔３４ａの側壁に当接して同様に動作する。ここでは、上部吸収パッド２に荷重が加わった場合を説明したが、逆に下部吸収パッド３或いは両パッド２，３に荷重が加わった場合も全く同様に動作する。
【００３７】
つまり、防振・衝撃吸収パッド１に横方向の荷重が加わった場合、両吸収パッド２，３が積層面２２，３２に沿って相対的に変位し、その変位量が大きくなるに従って、嵌合孔３４の側壁に当接して屈曲されるように弾性変形する突起２４の数が段階的に多くなる。その結果、突起２４及び突起２４の当接部分では、元の状態に戻ろうとする復元力（変位を阻止しようとする反発力）が増大し、印加された荷重を急速に減衰させるのである。
【００３８】
次に、図６（ａ）は、防振・衝撃吸収パッド１に縦方向の荷重が加えられる前の様子を示すものである。そして、防振・衝撃吸収パッド１に縦方向の荷重が加わり、上部吸収パッド２が下部吸収パッド３に押し付けられる方向（縦方向）に変位すると、図６（ｂ）に示すように、当初から第４嵌合孔３４ｄの底部に当接している第４突起２４ｄが横方向に向かって拡膨するように弾性変形する。この時、他の第１〜第３遊嵌対でも、嵌合孔内を突起が移動し、これらのうち、第３突起２４ｃが第３嵌合孔３４ｃの底部に最初に当接する。
【００３９】
この状態から更に上部吸収パッド２が変位すると、図６（ｃ）に示すように、嵌合孔３４ｃの側壁に当接した第３突起２４ｃも、先の第４突起２４ｄと同様に、横方向に向かって拡膨するように弾性変形する。
以下、更に上部吸収パッド２が変位すると、その変位に伴って、次は第２突起２４ｂが第２嵌合孔３４ｂの底部に当接し、引き続き第１突起２４ａが第１嵌合孔３４ａの底部に当接して同様に動作する。
【００４０】
つまり、防振・衝撃吸収パッド１に縦方向の荷重が加わった場合、両吸収パッド２，３は、より接近する方向に相対的に変位し、その変位量が大きくなるに従って、嵌合孔３４の底部に当接して押しつぶされるように弾性変形する突起２４の数が段階的に多くなる。その結果、突起２４及び突起２４の当接部分では、元の形状に戻ろうとする復元力（変形を阻止しようとする反発力）が増大し、印加された荷重を急速に減衰させるのである。
【００４１】
また、この時、嵌合孔３４の底部に押圧され弾性変形した突起２４は、傾斜して形成された嵌合孔３４の側壁にも当接する。そして、このように当接面が、荷重の加わる方向（縦方向）に対して傾斜していること、及び当接する両吸収パッド２，３の材質（硬度）が異なっていることから、印加された荷重は、両者の当接部にて、その伝達方向が分散されることにより、荷重印加側に対する相手側の外部接触面に達する荷重は更に減衰する。
【００４２】
以上説明したように、本実施形態の防振・衝撃吸収パッド１においては、外部接触面を介して、上部吸収パッド２及び下部吸収パッド３が外部接触面に沿った横方向、或いは外部接触面と交差する縦方向のいずれの方向に荷重が印加された場合でも、この印加された荷重に基づく両吸収パッド２，３の相対的な変位に伴って、嵌合孔３４の壁面或いは底部に当接し弾性変形する突起２４の数（ひいては両者間の接触面積）が段階的に増加するようにされている。
【００４３】
従って、本実施形態の防振・衝撃吸収パッドによれば、両パッド２，３の相対的な変位の大きさ、即ち加えられた荷重の大きさに応じて、荷重が大きいほど大きな復元力（反発力）が発生するため、どのような荷重が加えられたとしても、その荷重を発生させた振動や衝撃を急速に減衰させ、これを効果的に吸収することができる。
【００４４】
また、本実施形態の防振・衝撃吸収パッド１では、突起２４及び嵌合孔３４がいずれも断面円形状に形成されているため、外部接触面に沿ったいずれの方向の振動に対しても、均等な振動吸収特性を得ることができる。
更に、本実施形態の防振・衝撃吸収パッド１では、径や高さの異なる４種類の突起２４ａ〜２４ｄが用いられており、各突起２４ａ〜２４ｄはそれぞれ異なった固有振動数を有しているので、いずれかの突起２４が共振してしまったとしても、その影響を受けることなく他の突起２４の作用によって確実に振動を吸収でき、広い周波数範囲の振動を吸収することができる。
【００４５】
なお、本実施形態の防振・衝撃吸収パッド１は、上述のように、周囲から伝達される振動を遮断する必要のある電子秤Ｄを設置する際に限らず、逆に、射出成形機等の振動を発生する機器を設置する際に、その機器と機器を載置する床との間に防振・衝撃吸収パッド１を挟装し、該機器にて発生した振動が周囲に伝達されることを防止するために用いてもよい。つまり、振動の伝達を防止する必要のある場所であれば、どのような場所に使用してもよい。
【００４６】
また、本実施形態では、上部吸収パッド２に突起２４のみを設け、下部吸収パッド３に嵌合孔３４のみを設けたが、突起２４と嵌合孔３４とは、どちらの側に設けてもよく、また、同一パッドに突起２４と嵌合孔３４とを混在させてもよい。
【００４７】
更に、突起２４の形状は、円柱状に限らず、多角柱状，半球状、角錐状、円錐状、楕円錐状、三角錐状等、他の物体と点接触或いは線接触し得る突部を有するものであれば、どの様な形状でもよい。
また、上部吸収パッド２及び下部吸収パッド３を製造する際に、その材料に所望のフィラーを適宜混練することにより、例えば、熱伝導性，導電性，電磁波吸収性，電磁波遮蔽性，制振性，吸音性，遮音性，断熱性，磁力性等の性質を付与してもよい。
【図面の簡単な説明】
【図１】  本実施形態の防振・衝撃吸収パッドを電子秤と載置台との間に挟装した様子を表す斜視図である。
【図２】  本実施形態の上部吸収パッドの平面図、断面図である。
【図３】  本実施形態の下部吸収パッドの平面図、断面図である。
【図４】  本実施形態の防振・衝撃吸収パッドの断面図である。
【図５】  本実施形態の防振・衝撃吸収パッドに横揺れが作用したとき、突起がどのように動作するかを説明するための模式図である。
【図６】  本実施形態の防振・衝撃吸収パッドに縦揺れが作用したとき、突起がどのように動作するかを説明するための模式図である。
【図７】  従来の防振パッドの側面図及び模式図である。
【符号の説明】
１…防振・衝撃吸収パッド        ２…上部吸収パッド
３…下部吸収パッド      ２２…積層面      ２６…堰部
２４（２４ａ〜２４ｄ）…突起    ３４（３４ａ〜３４ｄ）…嵌合孔
【図１】
0003645766.tif 000002
【図２】
0003645766.tif 000003
【図３】
0003645766.tif 000004
【図４】
0003645766.tif 000005
【図５】
0003645766.tif 000006
【図６】
0003645766.tif 000007
【図７】
0003645766.tif 000008